(57)【要約】  本発明は、位置特定手段（２２）を装着した眼鏡（２１）装用者の幾何学的形状パラメータを測定する方法に関する。この方法は、画面と、目標物（８、１８）と、目標物の傾斜角を判定するための手段を有するコンパクトな画像取得システム（７、１７）と、コンピュータと、を備えた独立したコンピュータ装置（１、１０）を使用する。本発明の方法の主な特徴は、頭を略水平方向（２４）に自然に保ちながら、前方かつ無限遠に位置する点を装用者に観察させるステップと、この第１の姿勢でフレーム（２１）の位置の第１の画像を取得するステップと、自然で快適であり、かつ少なくとも頭の傾動を伴う位置をとることにより、画像取得システムに対する既知の位置に置かれた目標物（８、１８）を装用者に観察させるステップと、この第２の姿勢でフレーム（２１）の位置の第２の画像を取得するステップと、２枚の画像のうちの一方から眼（２７）の位置を判定するステップと、装用者の幾何学的形状パラメータを判定するために、２枚の取得画像をコンピュータ処理するステップと、測定結果を提供するステップと、を含んでいる。【選択図】図１
2014530383.tif 000002
【特許請求の範囲】
【請求項１】
眼鏡（２１）装用者の幾何学的形状パラメータを測定するための測定方法であって、
当該方法は、画面と、目標物（８、１８）と、前記画面に接続されて傾斜角を判定するための手段を備えるコンパクトな画像取得システム（７、１７）と、前記画像取得システムの制御と処理される画像の取得を可能にするコンピュータと、を備える独立したコンピュータ装置（１、１０）を実現するものであり、
当該方法は、
頭を略水平方向（２４）に自然に保ちながら、前方かつ無限遠に位置する点を前記装用者に観察させるステップであって、前記１組の眼鏡（２１）が前記装用者の顔の上で自然な位置を占めるステップと、
この第１の姿勢で前記フレーム（２１）の位置の第１の画像を取得するステップと、
自然で快適な位置をとることにより、前記画像取得システムに対する既知の位置に置かれた前記目標物（８、１８）  を前記装用者に観察させるステップであって、前記観察によって前記装用者の顔が傾動し、前記１組の眼鏡（２１）が前記装用者の顔の上で前記第１の姿勢に対して不変の位置を保つステップと、
前記第１の姿勢で使用された前記同じ画像取得システム（７、１７）により、この第２の姿勢で前記フレーム（２１）の位置の第２の画像を取得するステップと、
前記２枚の画像のうちの一方から眼（２７）の位置を判定するステップと、
前記装用者の前記幾何学的形状パラメータを判定する目的で、前記眼（２７）の前記位置から、前記第１の姿勢の前記フレーム（２１）の前記位置から、前記第２の姿勢の前記フレームの前記位置から、および前記画像取得システム（７、１７）の前記傾斜角から取得された前記２枚の画像をコンピュータ処理するステップであって、前記処理が、前記第１の位置と前記第２の位置との間で、前記眼から前記注視点までの注視軸に対する前記装用者の顔面の傾きの違いを考慮するための演算補正を含むステップと、
測定結果を提供するステップと、
を含むことを特徴とする測定方法。
【請求項２】
マーカ（２３）を備え、前記フレーム（２１）に固定されたクリップ（２２）という形態の位置特定手段が前記フレーム（２１）に装着されており、前記フレーム（２１）の前記傾斜角が１台のカメラ（７、１７）から評価されることを特徴とする、請求項１に記載の測定方法。
【請求項３】
前記フレーム（２１）の前記傾斜角が、立体方式で使用された少なくとも１台のカメラ（７、１７）によって評価され、前記カメラ（７、１７）が２枚の画像を撮ることを特徴とする、請求項１に記載の測定方法。
【請求項４】
前記フレーム（２１）の前記傾斜角が、立体方式で使用された少なくとも２台のカメラ（７、１７）によって評価されることを特徴とする、請求項３に記載の測定方法。
【請求項５】
前記画像取得システムが高解像度カメラ（７、１７）であることを特徴とする、請求項１から４のいずれか一項に記載の方法。
【請求項６】
前記取得システムの前記傾斜角を判定するための前記手段が、傾斜計を備えることを特徴とする、請求項１から５のいずれか一項に記載の方法。
【請求項７】
前記方法によって測定された前記幾何学的形状パラメータが、瞳孔（２８）とレンズ（Ｖ）の底辺との間の高さ（Ｈ）および装用時前傾角（ΘＰ）であることを特徴とする、請求項１から６のいずれか一項に記載の方法。
【請求項８】
測定高さ（Ｈｍ）が、前記レンズ（Ｖ）と前記眼（２８）との間の距離（ＤＶＯ）を考慮するために補正されることを特徴とする、請求項７に記載の方法。
【請求項９】
前記レンズ（Ｖ）と前記眼（２８）との間の前記距離（ＤＶＯ）が、前記２枚の画像間の測定差異から推定されることを特徴とする、請求項８に記載の方法。
【請求項１０】
オペレータが前記眼鏡装用者の前に位置取り、前記オペレータが前記画像取得システム（７、１７）を調節して、前記方法の前記各種ステップを制御することを特徴とする、請求項１から９のいずれか一項に記載の方法。
【請求項１１】
前記取得システム（７、１７）の傾斜角が、前記装用者の顔の前記位置に合わせるために調節されることを特徴とする、請求項１から１０のいずれか一項に記載の方法。
【請求項１２】
前記取得システム（７、１７）の前記傾斜角が一定であり、前記装用者が前記顔を、前記画像の中央に表示されるように適切な高さに位置決めすることを特徴とする、請求項１から１０のいずれか一項に記載の方法。
【請求項１３】
コンピュータと、
傾斜計が装着された少なくとも１台のカメラ（７、１７）と、
前記カメラ（７、１７）によって撮られた前記画像を測定結果と一緒に表示できる表示画面と、
を備えており、
前記カメラ（７、１７）の前記位置と前記画面の前記位置とを互いに独立して調節できることを特徴とする、請求項１から１２のいずれか一項に記載の測定方法を実施するための測定装置。
【請求項１４】
前記画面、第２のカメラ、前記傾斜計、および前記コンピュータを組み合わせたタブレット（１）と、前記少なくとも１台のカメラ（７）とによって構成されることを特徴とする、請求項１３に記載の測定装置。
【請求項１５】
前記タブレット（１）と前記カメラ（７）とが固定されるサポート（２）を備えることを特徴とする、請求項１４に記載の測定装置。
【請求項１６】
前記カメラ（７）および前記タブレット（１）が、垂直面のどちら側にも配置され、両者間で１５°から４５°までの範囲の角度を成すことを特徴とする、請求項１５に記載の測定装置。
【発明の詳細な説明】
【技術分野】
【０００１】
本発明の技術分野は、眼鏡装用者の幾何学的形状パラメータを測定する方法に関するものである。例えば、これらのパラメータは、瞳孔間距離ＰＤ、瞳孔からレンズの下縁までの高さＨ、装用時前傾角ΘＰ、すなわち装用者の顔面に対するレンズの傾斜角、眼とレンズＶとの間の距離ＤＶＯ、さらには眼の回転中心ＣＲＯを含みうる。１組の眼鏡、特に累進レンズを正しくカスタマイズするには、これらのパラメータを知っておくことが不可欠である。
【背景技術】
【０００２】
また、これらの幾何学的形状パラメータの一部を測定できる方法もある。かかる方法の第１のカテゴリは、カメラが眼の高さに調節された大型の垂直測定柱を利用するもので、眼鏡装用者が、鏡に映った彼ら自身の姿を見る。その種の機器は非常にかさばるため、測定には大型の施設が必要である。そして、測定を微調整するにも簡単に動かせない以上、あまり柔軟に使用できず、所与の状況に合わせるために別々の要素に分解することもできない。
【０００３】
第２のカテゴリの方法は、特にテーブルに置くのに適した小型機器を伴うが、ある測定手順と、非常に制約の大きい眼鏡装用者の位置取りとが求められる。その種の方法を実施するには、頭を特定の位置に位置決めする必要があり、ロッカービームを備えたクリップを眼鏡フレームに取り付ける必要がある。第１のステップは、装用者に自然な姿勢をとらせ、次にロッカービームを、クリップとロッカービームとの間の角度を固定するようにブロックする。この角度は、装用時前傾角と一致する。第２のステップでは、眼鏡フレームおよびクリップの装用者が、画面の上方に配置されたカメラを見る。装用者は、ブロックされたロッカービームが眼とカメラとを結ぶ軸に対して直角となるように頭を傾ける必要がある。かかる方法は、複雑で正確な調整を要する。そして、カメラ軸に対して正しい位置をとり、それに応じてロッカービームの位置を固定するために、眼鏡装用者がある程度器用であることが要求される。
【０００４】
幾何学的形状パラメータを測定するための本発明の方法は、柔軟に使用でき、かつ正確で信頼できる前記パラメータを容易かつ迅速に測定できる一方で、眼鏡装用者に制約を一切課さない機器を使用する。この方法により、装用者は、最後まで快適な姿勢をとり、頭を自然な状態に保てばよく、頭を正確に位置付けたり、頭を傾けたり回転させたりする必要はなく、特定の機器を装着する必要もない。本発明の方法は、測定結果を自動的かつ速やかに提供することも意図されている。
【発明の概要】
【課題を解決するための手段】
【０００５】
本発明は、眼鏡装用者の幾何学的形状パラメータを測定するための測定方法を提供する。前記方法は、画面と、対象と、自らの傾斜角を判定するための手段を備えるコンパクトな画像取得システムと、コンピュータとを有する独立したコンピュータ装置を実現する。前記システムは前記画面に接続されている。前記コンピュータは、画像取得システムの制御と処理される画像の取得を可能にしている。
本発明の方法の主な特徴は、
頭を略水平方向に自然な状態で保ちながら、前方かつ無限遠に位置する点を装用者に観察させるステップであって、１組の眼鏡が、装用者の顔面上の自然な位置を占めるステップと、
この第１の姿勢でフレームの位置の第１の画像を取得するステップと、
自然で快適な位置をとることにより、画像取得システムに対して既知の位置に置かれた目標物を装用者に観察させるステップであって、前記観察によって人の頭が傾動し、１組の眼鏡が装用者の顔面上で第１の姿勢に対して不変の位置を保つステップと、
第１の姿勢で使用されたものと同じ画像取得システムにより、この第２の姿勢におけるフレームの位置の第２の画像を取得するステップと、
２枚の画像のうちの一方から眼の位置を判定するステップと、
装用者の幾何学的形状パラメータを判定する目的で、眼の位置、第１の姿勢のフレームの位置、第２の姿勢のフレームの位置、および画像取得システムの傾斜角から取得された２枚の画像をコンピュータ処理するステップであって、前記処理が、第１の位置と第２の位置との間で、眼から注視点までの注視軸に対する装用者の顔面の傾きの違いを考慮するための演算補正を含むステップと、
測定結果を提供するステップと、
を備えていることである。
【０００６】
かかる方法の原理は、眼鏡装用者が、自然で快適な２つの姿勢をとること、次に、その２つの姿勢に対応する眼鏡フレームの２枚の画像を取得すること、そして最後に、所望される幾何学的形状パラメータをその２枚の画像から推定するために、その２枚の画像をコンピュータ処理することに依存する。
画像取得システムは、動画または静止画を撮るための少なくとも１台のカメラを備えうる。画像取得システムは、両方の画像を２つの姿勢で取得するために、同じものを指定する必要がある。画像取得システムの軸の傾斜角は、その傾斜角による視差誤差を補正できるように、特に正確に把握する必要がある。画像取得システムは、所与の傾斜角で静止させて、あるいは可能な傾斜角の範囲で移動させて使用されうる。第１の構成では、装用者が、自身の顔がカメラの視野の中央に来るように位置を変える。第２の構成では、取得システムの傾斜角が、装用者の顔が適切にフレーム内に収まるように、装用者の位置に合わせられる。
「コンパクト」という用語は、前記画像取得システムに適用された場合、システムが小型であり、テーブルや机など従来の家具に置けるように、かつ適切な角度で傾けられるように簡単に取り扱えるということを意味する。目標物は、画像取得システムによって運ばれることが好都合である。このようにすれば、本発明の方法を実現するために必要な機器があまり分散しない。
本発明の測定方法の別の好適な実現形態では、目標物が画像取得システム自体によって構成される。取得システムによって２つの姿勢で撮られた画像は、装用者の眼を基準にして位置付けられた眼鏡フレームを主に示す。所望のパラメータを取得する目的で画像をコンピュータ処理するのに必要な情報のすべてが、前記眼鏡フレームの位置が装用者の眼を基準にして３次元で表示された結果として前記画像に明瞭に表示される必要がある。フレームおよび装用者の眼の両方が画像に明瞭かつ正確に表示されることが基本である。本発明の方法では、装用者の顔面上における眼鏡フレームの位置が、第１の姿勢と第２の姿勢との間で一定のままである。顔面上で正しく位置付けられると、眼鏡の位置は、一方の位置から他方の位置に再調整されない。幾何学的形状パラメータは、従来の三角法関係に基づいて前記画像から容易に推定できる。なお、画像処理は、顔面が、第１および第２の姿勢における装用者の眼と注視点との間の視軸に対して異なる位置にあることを考慮するために、取得されたパラメータを補正計算することを含む。この差は小さく、角度にして数度ではあるが、判定されるパラメータの値への影響は一般に大きくなりうる。フレームは、３次元におけるフレームの向きと傾斜角とを画像に正確に表示できるように、マーカを備えたクリップという形態の位置特定手段を任意で備えうる。画面の主な働きは、装用者が２つの姿勢をとっている間、取得画像を参照できるようにすることである。また、所望の幾何学的形状パラメータの測定結果を提供しうる。この方法は、眼鏡装用者によって、あるいは眼鏡士でありうるオペレータによって直接制御されうる。
説明中の曖昧さ避けるため、「１組の眼鏡」および「フレーム」という用語は均等とみなすべきである。「傾動」という用語は、水平軸を中心に頭を前後に回動する動きに使用される。
本発明の方法は、装用者の側での様々な実観察状況に現実的な手法を提案するために測定ステップを簡便化する働きをする。そのため、かかる方法によって判定されたパラメータは、大半が理論的な計算によって判定されたパラメータよりもランダム誤差が少ない。
【０００７】
フレームには、マーカを備え、前記フレームに固定されたクリップという形態の位置特定手段が装着されており、前記フレームの傾斜角が１台のカメラから評価されることが好都合である。マーカを備えたクリップにより、装用者の顔面におけるフレームの傾斜角を正確に見ることができる。かかる状況下で、カメラによってキャプチャされた画像における前記クリップの寸法的特徴からこの傾斜角を判定するために必要なカメラは１台だけである。前記カメラは、本発明の方法で実現された画像取得システムの基幹的部分を形成するものと想定される。
【０００８】
本発明の方法の別の好適な実施形態では、立体方式で使用される少なくとも１台のカメラによってフレームの傾斜角が評価され、前記カメラは２枚の画像を撮る。このカメラは、基準要素が表示された２枚の画像を撮る。この要素は、装用者の顔面上または装用者の背後の壁に等しく配置されうる。前記画像は、フレームの傾斜角を判定する働きをする。
【０００９】
フレームの傾斜角は、立体方式で使用される少なくとも２台のカメラによって評価されることが好ましい。この構成では、少なくとも２つの異なる箇所に置かれた少なくとも２つの別個のカメラおよび毎回のフレーム写真撮影が、マーカを備えたクリップに頼らずに前記フレームの傾斜角を判定する働きをする。
【００１０】
画像取得システムは、高解像度カメラであることが好都合である。一般に、高解像度カメラとは、１メガピクセルよりも高い解像度を有するカメラのことである。カメラの解像度が高いほど、測定値の精度は高い。
【００１１】
取得システムの傾斜角を判定するための手段は、傾斜計を備えることが好ましい。画像取得システムは、予め所与の位置で固定されたままである。しかし、非常に大柄の人の場合には、満足のいく眼および眼鏡フレームの画像を得るために画像取得システムを傾ける必要がありうる。傾斜角は、測定結果から導出されるその後のパラメータ計算に統合するために把握しておく必要がある。  
【００１２】
前記方法によって測定された幾何学的形状パラメータは、瞳孔とレンズＶの底辺との間の高さＨと、装用時前傾角ΘＰであることが好ましい。なお、フレームが装用者の鼻の上に置かれ、装用者が遠くを注視している場合、装用時前傾角は、垂直面に対するレンズＶの傾斜角と一致するという点に留意すべきである。
【００１３】
測定高さＨｍは、レンズＶと眼との間の距離ＤＶＯを考慮するために補正されることが好ましい。
【００１４】
レンズと眼との間の距離ＤＶＯは、２枚の画像間の測定差異から推定されることが好ましい。装用者が２つの異なる姿勢をとっている間に撮られた２枚の画像により、レンズと眼との間の距離を計算できる。この距離ＤＶＯは、本発明の測定方法で測定できる別の幾何学的形状パラメータである。
【００１５】
オペレータは、眼鏡装用者の前に位置取り、画像取得システムを調節して、本発明の測定方法の各ステップを制御することが好ましい。この方法は、眼鏡装用者の幾何学的形状パラメータの測定値を得るために、眼鏡士によって実施されうる。そのため眼鏡士は、両方の姿勢による使用可能な眼およびフレームの画像の取得に都合がいいように、画像取得システムを操作する。そのために、画面は、前記画像をリアルタイムで見る眼鏡士と対面する向きにする。また、写真撮影を開始し、コンピュータによる画像処理を開始するのも眼鏡士である。本発明の測定方法は、主に眼鏡士の施設で使用する目的で開発されたものである。
【００１６】
取得システムは、装用者の顔の位置に合わせるために、傾斜角が調節されることが好ましい。この構成の場合、取得システムは、フレーム内に正しく収められた装用者の顔の画像を取得するために、システムの傾斜角を変えることによって移動させる。
【００１７】
本発明の測定方法の別の好適な実現形態では、取得システムの傾斜角が一定であり、装用者は、顔が画像の中央に写るように適切な高さに位置決めする。画像取得システムは、傾斜角を調節できない場合がある。かかる状況下では、取得システムが所与の位置で固定され、装用者の顔を移動させて前記取得システムの視野の中央に持ってくる。この構成の場合、正確で信頼できる測定値を得る上で必要な状況を組み合わせるために、装用者が事前にいくつかの位置決め制約を受ける。
【００１８】
本発明は、本発明の測定方法を実施するための測定装置も提供する。本発明の装置の主な特徴は、コンピュータと、傾斜計を備えた少なくとも１台のカメラと、前記カメラで撮影された画像を測定結果と一緒に表示できる表示画面と、を備えており、画面の位置とカメラの位置とを互いに独立して調節できるという点である。この測定装置は、ある特定の制約的な配置を必ずしも必要とせずに、所望の測定値と相互作用し、それらの測定値を提供するために各種部品が互いに接続されている測定キットと考えることができる。この種の装置は、互いに接続する方法についてある程度の柔軟性を示すため、テーブルや机の上、あるいは地面など、どのような環境でも容易に設置できる。カメラの位置に対する画面の位置を独立的に調節できることにより、本発明の測定装置を複数の構成で使用できる。そして、前記方法を実現するのに必要な各種機器をできるだけ正確に位置決めすることによって本発明の測定方法の成果を高めうる。
【００１９】
測定装置は、画面、第２のカメラ、傾斜計、およびコンピュータを組み合わせたタブレットと、傾斜計を装着した前記少なくとも１台のカメラとによって構成されることが好ましい。このバージョンの装置は、一層コンパクトなバージョンの１つであるため、狭いスペースで設置できる。装置の各種構成部品を小型のタブレットにまとめることにより、測定装置は、装用者またはオペレータが１つのキットから方法のすべてを制御することができ、動き回ったり、部品を互いに移動させたりすることなく必要な調整ができるため、使用時の柔軟性がさらに高まる。ただしタブレットは、装用者またはオペレータが取り扱いやすい小型の品を想定する必要がある。この種の品は特に、正確な箇所に設置して所望の方向に向けられるように、部屋の中で簡単に持ち運ばれうる。タブレットは、タッチ画面を有しうるか、あるいはマウスを使用して従来通りに使用されうる。カメラは、タブレットに直接固定されたり、タブレットを支持する目的でも使用されるサポートに固定されたりしうる。
【００２０】
この装置は、タブレットとカメラとが固定されるサポートを備えることが好ましい。このサポートによって、カメラをタブレットのすぐ近く、具体的には両者間を数センチメートル未満の距離で置けるようにすることにより、装置をよりコンパクトにできる。
【００２１】
カメラおよびタブレットは、垂直面のどちら側にも位置し、両者間で１５°〜４５°までの範囲の角度を成すことが好ましい。この角度は、３０°であることが好ましい。このようにして、画面はある方向に向けられ、カメラは反対方向に向けられる。この配置により、眼鏡士は、前記タブレットの背面に位置するカメラによって画像を撮影し、眼鏡装用者の顔をタブレットの画面上で直接観察できる。この構成によれば、画像を取得するために眼鏡士がカメラを装用者の顔と同じ高さに置く必要がない。測定装置をテーブルまたは机に置いた後で、タブレットおよびカメラの傾斜角をできるだけ正確に調節すれば十分でありうる。
【００２２】
眼鏡装用者が特定の機器を運ぶ必要が一切なく、一連の制約的かつ反復的な姿勢をとる必要がない限り、装用者の幾何学的形状パラメータを測定するための本発明の方法は、極めて人間工学に則ったユーザフレンドリーな利点を有する。また、画面を介して、あるいは印刷された文書によって、測定結果を装用者または眼鏡士に直ちに提供できるという利点もある。最後に、本発明の方法で実現された測定装置は小型であるため、狭い部屋やテーブルあるいは机の上にも設置できる。
【００２３】
図１〜図９を参照しながら、本発明の測定方法の好適な実現形態について以下詳しく説明する。
【図面の簡単な説明】
【００２４】
【図１】本発明の方法を実施可能にする、測定装置の第１の好適な実施形態の斜視図である。
【図２】本発明の方法を実施可能にする、測定装置の第２の好適な実施形態の斜視図である。
【図３】第１の姿勢で前方の無限遠点を見ている人の頭およびカメラの概略的側面図である。
【図４】第２の姿勢でカメラに写った目標物を見ている人の頭および前記カメラの概略的側面図である。
【図５】前方の無限遠点を見ることから成る第１の姿勢をとっている人の頭の概略的側面図である。
【図６】前記カメラに写った目標物を見ることから成る第２の姿勢をとっている人の頭の概略的側面図である。
【図７】マーカを有するクリップを装着した１組の眼鏡の斜視図である。
【図８】第１の姿勢をとっている装用者の眼と、マーカクリップを装着した１組の眼鏡の簡略立面図である。
【図９】第２の姿勢をとっている装用者の眼と、マーカクリップを装着した１組の眼鏡の簡略立面図である。
【発明を実施するための形態】
【００２５】
図１を参照すると、眼鏡装用者の幾何学的形状パラメータを測定する方法を実施するための測定装置の第１の好適な実施形態が、画面とコンピュータとを備えるタブレット１によって構成されており、平滑かつ水平な面上に立たせることを可能にするサポート２の上に立っている。サポート２は、支持ロッド４によって延伸される幅広の環状スタンド３を備えている。支持ロッド４は、前記スタンド３上で旋回軸５にヒンジで固定されている。言い換えれば、スタンド３が水平面６上に立っている場合、ロッド４は、垂直方向に対して多少傾いた位置にある。ロッド４は、薄い金属片とみなされうる。タブレット１は、スタンド３上にあり、ロッド４にもたれている。高解像度ビデオカメラという形態の画像取得システム７は、電子カードによってロッド４に固定されており、前記タブレット１の背面に位置する。高解像度ビデオカメラは、１００万ピクセル以上の解像度を有することが好ましい。このカードはまた、点灯条件を良好に制御するために、かつ、カメラ７によって取得され、画面に表示可能な画像における各々の眼の角膜反射を明らかにするために、視認目標物８とフラッシュ９とを支え、それによって良好な測定精度を得る。このカードはまた、コンデンサをフラッシュ９の近くまで運ぶ。このコンデンサは、少なくとも１つのユニバーサル・シリアル・バス（ＵＳＢ）ケーブルによって給電される電子カードによって充電されるため、フラッシュ９を稼働させるために必要なエネルギーを提供するのに適している。このコンデンサは、フラッシュ９を非常に速く充電できるため、２つの連続するフラッシュ間で遅延時間が長くなりすぎるのを避けられるという利点がある。タブレット１は、タッチ画面を有しうるか、あるいはマウスによって使用されうる。前記タブレット１は、コンピュータ、およびこのコンピュータと関連付けられた、カメラを起動させ、画像を復元し、前記画像を処理し、測定結果を表示するためのソフトウェアを含む。画面に対する垂直面が３次元の第１の方向で示されており、カメラ７の照準軸は、第１の方向と反対の第２の方向で示されている。カメラ７は、３次元における自身の向きに関係なく、傾斜角を判定できる傾斜計を有する。この装置１はコンパクトであり、テーブルまたは机の上に容易に設置されうる。また、オペレータ（眼鏡装用者の幾何学的形状パラメータを測定しようとする眼鏡士でありうる）によって操作されるように構成されている。眼鏡２１の装用者がカメラ７の前に位置取る一方で、眼鏡士はタブレット１の画面に向かい、カメラ７を運ぶ支持ロッド４を回動させて、フレーム２１と装用者の眼２７とが表示画面にきちんと収まるようにする。その後、本発明の測定方法を開始できる。別の変形形態では、カメラおよびタブレットの画面が、眼鏡装用者が本発明の測定方法を直接実施できるように横に並べて置かれうる。
【００２６】
図２を参照すると、本発明の測定装置１０の第２の好適な実施形態は、高解像度ビデオカメラという形態の画像取得システム１７を備える。高解像度ビデオカメラは、１００万ピクセル以上の解像度を有することが好ましい。カメラ１７は、複数の位置をとるために容易にねじられる変形可能なロッド１４を上に置いた幅広のスタンド１３を有するサポート１２によって運ばれる。スタンド１３が略平らな面１６に立っている場合、ロッド１４は、垂直方向に対して多少傾いた位置にある。ロッド１４に固定されている電子カードが、カメラ１７と、眼鏡２１の装用者の視認目標物１８と、点灯条件を良好に制御し、カメラ１７によって取得され、画面上に表示可能な画像で各々の眼の角膜反射を視認できるようにするためのフラッシュ１９と、を支え、これによって良好な測定精度を得る。電子カードは、コンデンサをフラッシュ１９の付近まで運ぶ。こうしてこのコンデンサは、少なくとも１つのＵＳＢケーブルによって給電される電子カードによって再充電されるため、フラッシュ１９を稼働させるために必要なエネルギーを提供するのに適している。このコンデンサは、フラッシュ１９を非常に速く充電できるため、２つの連続するフラッシュ間で遅延時間が長くなりすぎるのを避けられるという利点がある。カメラ１７には、３次元における自身の向きに関係なく、傾斜角を判定できる傾斜計が備わっている。コンピュータと関連付けられており、かつ、前記カメラ１７によって取得された画像を取得された結果と併せて表示するために前記カメラ１７のすぐ近くに位置する表示画面が、ＵＳＢケーブル３０などのデータ接続を介してカメラ１７に接続されている。ケーブル３０は、取得された画像を、傾斜計からのデータと一緒にコンピュータに送る働きをする。本実施形態におけるコンピュータは、第１の実施形態におけるコンピュータと同じ特徴を提供する。本発明の測定方法は、前記画面の向きに応じて、眼鏡士によって、あるいは眼鏡装用者によって直接制御されうる。画像取得装置１０は、小型で、テーブルまたは机の上に容易に設置される。さらには、前記机の上で移動させても、単純に手で操作して多少傾けても良い。
【００２７】
上記２つの実施形態では、カメラ７、１７が縦向きになっており、これにより、前記カメラ７、１７の向きを調節することなく、さまざまな身体サイズの人を網羅できる。それでも、背が高すぎる装用者、立っているのではなく座っている装用者、あるいはその逆の装用者への対応など、珍しい状況の場合には、カメラ７、１７を適切な角度に傾けて装用者の顔の画像を収めることができる。傾斜計は、対応する傾斜角を測定する働きをするため、その後、取得画像の処理時に統合して、取得された測定値を修正できる。本発明の方法の別の変形形態は、静止カメラ７、１７、すなわち傾斜角を調節できないカメラを使用することから成る。この場合、装用者は、例えば、座っている席の高さを調節して装用者の顔が画面８の中央に表示されるようにするなどして適切に位置取りする必要がある。カメラ７、１７によって取得された画像に加え、画面も、測定結果をほぼ瞬時に表示する働きをする。図７を参照すると、マーカ２３を備えるクリップ２２が、画像の縮尺を判定するために、装用者によって着用された眼鏡フレーム２１に固定されうる。前記マーカ２３は、３次元における位置とフレーム２１の向きとを特定する働きをする。レンズＶおよびクリップ２２の面は一致するものと想定される。ただし、クリップ２２は常に必要というわけでない。２台のカメラを使用した立体測定システムにより、クリップ２２を利用せずに、装用時前傾角に加え、縮尺係数も判定できる。
【００２８】
本発明の方法は、以下のステップを、記載順に、あるいは異なる順序で実施する。
−  図３および図５を参照すると、クリップ２２を装着したフレームを有する眼鏡２１の着用者２０が、カメラ７、１７の前で位置取りする。眼鏡士が眼鏡装用者に、快適かつ自然であり、前方の無限遠点をまっすぐ見ることから成る第１の位置をとってもらう。このとき、矢印２４によって表された注視方向は略水平である。眼鏡士は、画面上に装用者の顔が見えるように、さらに具体的に言えば、必要に応じてカメラ７、１７を傾けて前記画面の所定領域に装用者の顔が表示されるように、カメラ７、１７を調節する。
−  装用者の顔がカメラ７、１７の視野に良好に位置付けられると、眼鏡士は第１の画像を取得する。次にコンピュータが、フレーム２１におけるクリップ２２の正確な３次元（３Ｄ）向きを判定し、この向きから、カメラ７、１７の軸２５に対する、かつ傾斜計で測定された垂直線に対するカメラ７、１７の角度ΘＣａｍ１に対するクリップ２２の角度ΘＣｌｉｐ１の角度の関数として表される装用時前傾角ΘＰ１を推定する。装用時前傾角ΘＰ１は、クリップ２２により、正確に把握されている相対位置にあるクリップ２２上で位置付けられた少なくとも３つのマーカ２３位置に頼ることによって測定される。これらのマーカ２３が単一面を画定し、画像処理ソフトウェアと関連付けられたカメラ７、１７が、これら３つのマーカ２３の３Ｄ位置を座標系（Ｘｃ、Ｙｃ、Ｚｃ）で判定し、前記座標系に対する前記面の向きを結果的に判定する。この向きが、角度ΘＣｌｉｐ１を直接提供する。クリップ２２のマーカ２３の３Ｄ座標は、慣例的にＰＯＳＩＴタイプの反復アルゴリズムを使用して測定される。そして以下の角度関係が取得される。
ΘＰ１＝ΘＣｌｉｐ１−ΘＣａｍ１
−  図４および図６を参照すると、眼鏡士が、快適かつ自然であり、カメラ７、１７に置かれた目標物８、１８を見ることから成る第２の姿勢を装用者にとってもらう。
−  眼鏡士が第２の画像を取得する。装用時前傾角ΘＰ２がもう一度測定される。カメラの視野が、２つの位置間における頭の動きを網羅できる大きさなので、装置が２つの姿勢（ΘＣａｍ１＝ΘＣａｍ２＝ΘＣａｍ）の間で動かないことが理想的である。フラッシュ装置９、１９がこの第２の画像の取得時に操作されて、角膜反射を取得する。フレーム２１の左右の下縁および左右の鼻側と同様、角膜反射も、高さ（Ｈ）と瞳孔間距離（１／２ＰＤ）とを測定するために画像から抽出される。クリップ２２は、画像の縮尺を復元してＨおよびＰＤの正しい値を取得する目的でも使用される。本実施例で測定された高さはＨｍであり、Ｈｍは、第２の姿勢で保たれている頭の位置が、図４および図６に点線２６で示すクリップ２２によって表された理想的な位置、すなわち、誤差がゼロであり、（９０°−ΘＣａｍ）の角度で表される頭の傾斜に対応する位置でないことから、誤差を含む。式中、ΘＣａｍは、カメラ７、１７と垂直線との間の角度である。高さＨｒの実際値は、（Ｈｒ＝Ｈｍ＋ΔＨ）という関係による測定高さＨｍとは異なる。例として、図６は、第２の姿勢に対応する角度誤差ΘＥｒｒと、点線２６によるゼロ度誤差ΘＥｒｒに対応する頭の位置およびクリップ２２の位置と、を示している。
−  高さＨに関する誤差はその後、第２の画像におけるクリップの角度誤差ΘＥｒｒと、レンズから眼までの距離（ＤＶＯ）とを考慮して補正される。角度誤差は、次の式で表される。
ΘＥｒｒ＝ΘＰ１−ΘＰ２−（９０°−ΘＣａｍ）
高さの補正は、第一近似として、次の式によって表される。
ΔＨ＝（Ｒｅｙｅ＋ＤＶＯ）×ｔａｎ（ΘＥｒｒ）
＝ｄ（ＣＲＯ，Ｖ）×ｔａｎ（ΘＥｒｒ）
式中、Ｒｅｙｅは平均１２ミリメートル（ｍｍ）に等しい眼の半径であり、ＤＶＯは平均１５ｍｍに等しいレンズから眼までの距離である。パラメータｄ（ＣＲＯ，Ｖ）は、眼の回転中心ＣＲＯとレンズＶとの間の距離を表す。図５は特に、レンズＶの位置、すなわちフレーム２１またはクリップ２２の位置、ならびに眼２７および瞳孔２８の位置を基準に、距離と、ＤＶＯ、ＣＲＯ、およびＲｅｙｅによって表されるパラメータとを可視化できるようにする。図７、８および９を参照すると、精度をさらに上げるために、ＤＶＯの正確な値が、２つの姿勢に対応する画像を使用して測定されうる。そのために、２枚の画像が使用され、マーカ２３を使用して取得されたクリップ２２の姿勢が、眼２７の位置と同様、例えば瞳孔２８、虹彩、または眼の隅を特定するなどして抽出される。
瞳孔２８をクリップ２２の座標系に投影し、そこから、三角測量を用いてクリップ２２の座標系における両眼２７の各々のＣＲＯの位置を推定することにより、その２枚の画像のクリップ２２の面における両眼２７の各々の瞳孔２８のおよび／または虹彩の位置が判定される。そのための式は次の通りである。
ｄ（ＣＲＯ，Ｖ）＝（Ｙ１−Ｙ２）／ｔａｎ（ΘＰ１−ΘＰ２）
眼２７の隅を使用する場合の式は次の通りである。式中、Ｙ１およびＹ２は眼の隅の座標である。
ＤＶＯ＝（Ｙ１−Ｙ２）／ｔａｎ（ΘＰ１−ΘＰ２）
任意の方法で、ＣＲＯとＶとの間の距離の平均値をとることを検討できる。その値は、例えば２７ｍｍでありうる。第１の選択肢では、第２の画像を撮っている間、装用者に、少なくとも１０°の角度差を得るために頭をさらに傾けてもらうことができる。
第２の選択肢では、装用者に、目標物８、１８あるいは特定物を注視しないで頭を回してもらい、眼２７の隅を使用してＤＶＯを測定できる。
眼鏡２１の装用者が２枚の画像の撮影間に頭を傾けない場合には、ΘＰ１＝ΘＰ２となる。
【００２９】
瞳孔間距離または半分距離ＰＤ、眼２７の瞳孔２８とレンズＶまたはフレーム２１の下縁との間の高さＨ、眼２７とレンズＶとの間の距離ＤＶＯ、および装用時前傾角ΘＰは、本発明の測定方法を使用して判定できる主な幾何学的形状パラメータである。
【００３０】
瞳孔２８、虹彩、角膜反射、および眼の隅の位置は、オペレータにより、取得画像上で指差すことによって、あるいは２枚の取得画像上でコンピュータが自動検出を実行することによって判定される。
【００３１】
虹彩、角膜反射、および瞳孔は、装用者が頭を傾けているときに、フレームによって覆い隠される領域が眼の隅よりも少ないという利点を有する要素である。さらに、これらの要素は特定しやすいため、画像上での指示や自動検出の精度が高い。
【００３２】
眼の隅とは異なり、眼２７は回転運動を呈し、クリップ２２の座標系で移動可能である。２枚の画像間での眼の動きを補正することにより、かかる状況下で、眼がクリップに対して動いていない状況に戻ることができる。このように、距離ｄＰによって第２の画像における眼２７の位置を補正することにより、その眼がクリップ２２に対して動いていない状況に戻る。第１近似においては、ｄＰは、瞳孔２８または虹彩、あるいは角膜反射が２枚の画像間で平行移動する距離と実質的に等しい。眼２７の半径、カメラと水平線との間の角度、２枚の画像間でのクリップ２２の角度の変化、および２枚の画像間での眼の角度の変化を考慮することにより、より正確な幾何学計算が実施されうる。
【００３３】
加えて、虹彩は角膜の最上部と同じ平面にないという事実と関連付けられた幾何学補正が、従来の三角法関係を用いて考慮されうることが好ましい。本発明の方法を用いて判定されたパラメータに関する不正確の潜在的原因を減らすために、装用者の眼２７が取得システム７、１７ではなくカメラレンズの最上部を見ているという事実と関連付けられる輻輳障害に対する幾何学補正も計算に取り入れられることが好ましい。
【図１】
2014530383.tif 000003
【図２】
2014530383.tif 000004
【図３】
2014530383.tif 000005
【図４】
2014530383.tif 000006
【図５】
2014530383.tif 000007
【図６】
2014530383.tif 000008
【図７】
2014530383.tif 000009
【図８】
2014530383.tif 000010
【図９】
2014530383.tif 000011
【国際調査報告】
2014530383.tif 000012
2014530383.tif 000013
2014530383.tif 000014